(57)【要約】【課題】  デジタルテレビに搭載するチューナの数を増やすことなく、外部機器のチューナを活用して、予め選局ボタンに割り当てることで、チャネル切り替えを高速化すること。【解決手段】  放送視聴時のチャネル切り替え操作において、外部機器のチャネル切り替え動作を判定することで、チャネル使用状況を把握し、本デジタルテレビと外部機器の受信データを比較することで、外部機器の現在のチャネル番号を把握し、これらを選局状態として管理し、ＵＰ／ＤＯＷＮボタンに割り当て、ボタン押下時に、外部入力の表示切替を行うだけでチャネル切り替えを実現する。【選択図】  図１
2009100100.tif 000002
【特許請求の範囲】
【請求項１】
外部機器からの入力を表示可能なデジタルテレビ装置であり、
ユーザからのリモコン操作を受け付けるリモコンコード受信部、放送受信や外部入力切替を他ブロックに指示する制御部、放送信号を受信する放送信号受信部、受信した放送信号をデマックスして映像と音声に分離するデマックス部、復号処理を行う映像復号部および音声復号部、映像表示を行う映像表示部、音声出力を行う音声出力部、外部からの映像入力を行う外部映像音声入力部、本機器と外部入力との表示を切り替える外部入力切替部、本機器も含め外部機器の選局状態を管理する選局状態管理部、外部機器に選局の指示を送るリモコンコード送信部、外部機器から入力と本機器の受信内容が同一かどうか判定する比較判定部、外部機器からの入力からブランクを検出することでチャネル切り替えを判定するチャネル切り替え動作判定部、とで構成され、
チャネル切り替え動作判定部で外部機器のチャネル使用状況を把握し、比較判定部で本デジタルテレビ装置と外部機器の受信データを比較することで外部機器の現在のチャネル番号を把握し、これら情報を選局状態管理部で管理し、ＵＰ／ＤＯＷＮボタンに外部機器のチューナを割り当て、高速なチャネル切り替えを実現することを特徴とするデジタルテレビ装置。
【請求項２】
請求項１に記載のデジタルテレビ装置において、
前記比較判定部が、
符号化されていない映像データの比較を行うことで、外部機器から入力と本機器の受信内容が同一かどうか判定し、
前記チャネル切り替え動作判定部が、
符号化されていない映像・音声データの黒画面および無音期間の検出によって判定することを特徴とするデジタルテレビ装置。
【請求項３】
請求項１に記載のデジタルテレビ装置において、
前記比較判定部が、
符号化データに含まれるNITによってチャネル番号を取得し比較を行うことで、外部機器から入力と本機器の受信内容が同一かどうか判定し、
前記チャネル切り替え動作判定部が、
符号化データに含まれるNULLパケットが一定期間連続することを検出して判定することを特徴とするデジタルテレビ装置。
【発明の詳細な説明】
【技術分野】
【０００１】
デジタルテレビ、ＡＲＩＢ放送規格、外部機器接続規格（ＨＤＭＩ,ＩＥＥＥ１３９４等）に関する発明である。
【背景技術】
【０００２】
図１０は、従来例におけるブロック図であり、ユーザからのリモコン操作を受け付けるリモコンコード受信部５００、放送受信や外部入力切替を他ブロックに指示する制御部５０１、放送信号を受信する放送信号受信部５０２、受信した放送信号をデマックスして映像と音声に分離するデマックス部５０３、復号処理を行う映像復号部５０４および音声復号部５０７、映像信号切り替え部５０５および音声信号切り替え部５０８、映像表示を行う映像表示部５０６、音声出力を行う音声出力部５０９、外部からの映像入力を行う外部映像音声入力部５１０、映像信号切り替え部５０５および音声信号切り替え部５０８に指示を出す外部入力切替部５１1、とで構成される。
【０００３】
まず、本デジタルテレビ装置の定常時の基本的な動作について説明する。
【０００４】
(i). リモコンコード受信部５００を介したユーザ操作により、放送番組を視聴する場合は、制御部５０１によって放送信号受信部５０２に放送番組受信表示の指示が送られ、放送信号受信部５０２で受信した放送信号をデマックス部５０３で映像と音声に分離され、映像は映像復号部５０４、音声は音声復号部５０７において符号化信号が復号され、夫々映像信号切り替え部５０５および音声信号切り替え部５０８を経由し、映像表示部５０６にて映像が表示が、音声出力部５０９にて音声が出力され、ユーザは放送番組を視聴することができる。
【０００５】
(ii). リモコンコード受信部５００を介したユーザ操作により、外部機器の映像を視聴する場合は、外部映像音声入力部５１０によって外部から符号化されていない映像・音声が入力され、制御部５０１は外部入力切替部５１１によって、映像信号切り替え部５０５および音声信号切り替え部５０８にて外部映像音声が選択され、映像表示部５０６にて映像が表示が、音声出力部５０９にて音声が出力され、ユーザは外部機器からの映像音声を視聴することができる。
【０００６】
次に、放送番組のチャネル切り替えを行う場合の動作について説明する。
【０００７】
チューナ１つをもちいてチャネル切り替えを行う場合、１秒〜２秒程度の切り替え時間を要し、これがユーザに多大なストレスを与える。
【０００８】
また、複数のチューナをもってＵＰ／ＤＯＷＮボタンにチューナを割り当て、チャネル切り替えを高速化する方法が考えられるが、チャネル切り替え高速化のためだけにチューナユニットを大量に持つのはコスト面で非現実的であり、せいぜい１〜２個が限界であり、チャネル切り替えを十分に高速化できない。
【０００９】
図１１は、実施例１におけるブロック図であり、ユーザからのリモコン操作を受け付けるリモコンコード受信部７００、放送受信や外部入力切替を他ブロックに指示する制御部７０１、放送信号を受信する放送信号受信部７０２、受信した放送信号をデマックスして映像と音声に分離するデマックス部７０３、復号処理を行う映像復号部７０４および音声復号部７０７、映像信号切り替え部７０５および音声信号切り替え部７０８、映像表示を行う映像表示部７０６、音声出力を行う音声出力部７０９、外部からの映像入力を行う外部映像音声入力部７１０、映像信号切り替え部７０５および音声信号切り替え部７０８に指示を出す外部入力切替部７１１、本機器も含め外部機器の選局状態等を管理する選局状態管理部７１２、外部機器に選局等の指示を送るリモコンコード送信部７１３、映像データの有無を判定するために同期信号を検出する動機信号検出部７１４、とで構成される。
【００１０】
次に、放送番組のチャネル切り替えを行う場合の動作について説明する。
【００１１】
先願の受信機器が地上Dチューナを搭載し、外部機器にBSチューナ搭載の受信機とCSチューナ搭載の受信機を接続し、たとえばUPボタンを押しつづけた場合、地D １ch→地D 2ch→地D 3ch→ … →地D １２ｃｈ→BS １ch→BS 2ch→BS 3ch→ … →BS １２ｃｈ→CS １ｃｈ →CS 2ｃｈ → CS 3ｃｈ →…、と遷移する。
【００１２】
先願件では、BSチューナをもつ外部機器、CSチューナを持つ外部機器、というように、ネットワークの異なるチューナを接続して、UP/DOWNボタンで連続的に切り替えられるようにすることが目的であり、上記の内容によって、この課題を解決している。
【特許文献１】特開2002-118794号公報
【発明の開示】
【発明が解決しようとする課題】
【００１３】
従来のデジタルテレビ受信装置の場合、チューナ１つをもちいてチャネル切り替えを行う場合、１秒〜２秒程度の切り替え時間を要し、これがユーザに多大なストレスを与える。
【００１４】
また、複数のチューナをもってＵＰ／ＤＯＷＮボタンにチューナを割り当て、チャネル切り替えを高速化する方法が考えられるが、チャネル切り替え高速化のためだけにチューナユニットを大量に持つのはコスト面で非現実的であり、せいぜい１〜２個が限界であり、チャネル切り替えを十分に高速化できない。
【課題を解決するための手段】
【００１５】
本発明によるデジタルテレビ装置は、以下の手段で前記課題を解決する。
【００１６】
請求項１に記載のデジタルテレビ装置は、外部機器からの入力を表示可能なデジタルテレビ装置であり、ユーザからのリモコン操作を受け付けるリモコンコード受信部、放送受信や外部入力切替を他ブロックに指示する制御部、放送信号を受信する放送信号受信部、受信した放送信号をデマックスして映像と音声に分離するデマックス部、復号処理を行う映像復号部および音声復号部、映像表示を行う映像表示部、音声出力を行う音声出力部、外部からの映像入力を行う外部映像音声入力部、本機器と外部入力との表示を切り替える外部入力切替部、本機器も含め外部機器の選局状態等を管理する選局状態管理部、外部機器に選局等の指示を送るリモコンコード送信部、外部機器から入力と本機器の受信内容が同一かどうか判定する比較判定部、外部機器からの入力からブランクを検出することでチャネル切り替えを判定するチャネル切り替え動作判定部、とで構成され、チャネル切り替え動作判定部で外部機器のチャネル使用状況を把握し、比較判定部で本デジタルテレビ装置と外部機器の受信データを比較することで外部機器の現在のチャネル番号を把握し、これら情報を選局状態管理部で管理し、ＵＰ／ＤＯＷＮボタンに外部機器のチューナを割り当て、高速なチャネル切り替えを実現することを特徴とするデジタルテレビ装置。
【００１７】
請求項２に記載のデジタルテレビ装置は、請求項１記載の比較判定部が、符号化されていない映像データの比較を行うことで、外部機器から入力と本機器の受信内容が同一かどうか判定し、請求項１記載のチャネル切り替え動作判定部が、符号化されていない映像・音声データの黒画面および無音期間の検出によって判定することを特徴とするデジタルテレビ装置。
【００１８】
請求項３に記載のデジタルテレビ装置は、請求項１記載の比較判定部が、符号化データに含まれるNITによってチャネル番号を取得し比較を行うことで、外部機器から入力と本機器の受信内容が同一かどうか判定し、請求項１記載のチャネル切り替え動作判定部が、符号化データに含まれるNULLパケットが一定期間連続することを検出して判定することを特徴とするデジタルテレビ装置である。特許文献１との相違点として、特許文献１においては、チャネル切り替えの高速化する課題を考慮していなく、外部機器のチューナを利用しているにもかかわらず、以下の理由で先願ではチャネル切り替え高速化が不可能といえる。
【００１９】
・外部機器の受信しているチャネル番号を本体側で把握する仕組みがないこと
・検出しているのは、電源ON/OFFを検出するための同期信号検出のみであること
・ユーザに総チャネル数を登録させることで総チャネル数を知り、かつ外部機器のUP/DOWNボタンに該当するリモコンコード送出した際、総チャネル数を超えたか超えないかのみしか管理していないこと。
【００２０】
その点本出願では、
外部機器のチャネル切り替え動作を判定することで、チャネル使用状況を把握し、
本デジタルテレビと外部機器の受信データを比較することで、外部機器の現在のチャネル番号を把握し、これらを選局状態として管理し、ＵＰ／ＤＯＷＮボタンに割り当て、ボタン押下時に、外部入力の表示切替を行うだけでチャネル切り替えを実現することで、
通常のチャネル切り替えに必要な時間に比べ、切替時間を大幅に低減することができ、快適な操作性を提供する。
【発明の効果】
【００２１】
放送視聴時のチャネル切り替え操作において、外部機器のチャネル切り替え動作を判定することで、チャネル使用状況を把握し、本デジタルテレビと外部機器の受信データを比較することで、外部機器の現在のチャネル番号を把握し、これらを選局状態として管理し、ＵＰ／ＤＯＷＮボタンに割り当て、ボタン押下時に、外部入力の表示切替を行うだけでチャネル切り替えを実現することで、通常のチャネル切り替えに必要な時間に比べ、切替時間を大幅に低減することができ、快適な操作性を提供する。
【発明を実施するための最良の形態】
【００２２】
次に、本発明の詳細を実施例の記述に従って説明する。
【実施例１】
【００２３】
以下、本発明の請求項１、請求項２、請求項３を満たすデジタルテレビ装置の一実施例を示す。本実施例では、接続される外部機器はＨＤＭＩのようなＲＡＷ映像が転送されるケーブルで接続されているものとする。
【００２４】
図１は、実施例１におけるブロック図であり、ユーザからのリモコン操作を受け付けるリモコンコード受信部１００、放送受信や外部入力切替を他ブロックに指示する制御部１０１、放送信号を受信する放送信号受信部１０２、受信した放送信号をデマックスして映像と音声に分離するデマックス部１０３、復号処理を行う映像復号部１０４および音声復号部１０７、映像信号切り替え部１０５および音声信号切り替え部１０８、映像表示を行う映像表示部１０６、音声出力を行う音声出力部１０９、外部からの映像入力を行う外部映像音声入力部１１０、映像信号切り替え部１０５および音声信号切り替え部１０８に指示を出す外部入力切替部１１１、本機器も含め外部機器の選局状態等を管理する選局状態管理部１１２、外部機器に選局等の指示を送るリモコンコード送信部１１３、外部からの映像信号と本機器の映像信号とが同一かどうか判定する映像比較判定部１１４、黒画面や無音部を検出することでチャネル切り替えを判定するチャネル切り替え動作判定部１１５、とで構成される。
【００２５】
まず、本デジタルテレビ装置の定常時の基本的な動作について説明する。
【００２６】
(i). リモコンコード受信部１００を介したユーザ操作により、放送番組を視聴する場合は、制御部１０１によって放送信号受信部１０２に放送番組受信表示の指示が送られ、放送信号受信部１０２で受信した放送信号をデマックス部１０３で映像と音声に分離され、映像は映像復号部１０４、音声は音声復号部１０７において符号化信号が復号され、夫々映像信号切り替え部１０５および音声信号切り替え部１０８を経由し、映像表示部１０６にて映像が表示が、音声出力部１０９にて音声が出力され、ユーザは放送番組を視聴することができる。
【００２７】
(ii). リモコンコード受信部１００を介したユーザ操作により、外部機器の映像を視聴する場合は、外部映像音声入力部１１０によって外部から符号化されていない映像・音声が入力され、制御部１０１は外部入力切替部１１１によって、映像信号切り替え部１０５および音声信号切り替え部１０８にて外部映像音声が選択され、映像表示部１０６にて映像が表示が、音声出力部１０９にて音声が出力され、ユーザは外部機器からの映像音声を視聴することができる。
【００２８】
次に、放送番組のチャネル切り替えを行う場合の動作について図２〜図８を用いて説明する。
【００２９】
まず選局状態管理部１１２は選局状態テーブルをもち、以下の項目で構成される。
【００３０】
・チューナ名：本デジタルテレビおよび接続された外部機器名を入力する。
【００３１】
・チューナ使用状況：「視聴中」「ＵＰボタン」「ＤＯＷＮボタン」「使用可能」「使用不可」の５つの状態をもつ。使用不可とは、チューナを搭載している機器のＵＰ／ＤＯＷＮボタンによって映像・音声が切り替わらない状態のことを示す。
【００３２】
・受信チャネル番号：現在受信しているチャネルを入力する。チューナ使用状況が「使用可能」であっても、現在受信しているチャネル番号が不明のが場合は「不明」となる。
【００３３】
放送番組のチャネル切り替えを行う場合に大きく３つの処理があり、関連する処理ブロックとともに動作を以下に説明する。
【００３４】
１．チューナ使用可否判定処理
放送視聴中に、図２に示すチューナ使用可否判定処理を行う。この処理は放送視聴中であればユーザのＵＰ／ＤＯＷＮボタン押下に関係なく定期的に行われる。
【００３５】
まずＳ１４０にて選局状態テーブル中の受信チャネル番号が“不明”であるチューナが存在するかを調べる。図３に示す例では選局状態テーブル２００の状態を初期状態とすると、選局状態テーブル２００内の受信チャネル番号の項目によりチューナ＃１〜＃４が該当する。
【００３６】
次にＳ１４１により、該当するチューナが搭載された機器に対して、ＵＰ／ＤＯＷＮボタンに該当するリモコンキーがリモコンコード送出部１１３から送信され、チャネル切り替え動作判定部１１５にてチャネル切り替え動作の発生有無を判定する。
【００３７】
ここで、チャネル切り替え動作判定部１１５での判定処理は、外部映像音声入力部１１０から入力される映像・音声信号に対し、入力信号が存在し、かつ映像が黒画面、音声が無音状態になるのを検知することで、チャネル切り替えが行われたかどうかを判定する。
【００３８】
このようにしてＳ１４１により、チャネル切り替えが行われていると判断できたチューナにはＳ１４２にて選局状態テーブル中のチャネル使用状況に「使用可能」が入力される。図３に示す例では選局状態テーブル２０１内のチューナ使用状況が「使用可能」になっているチューナ＃１〜＃３がこの動作を表している。
【００３９】
次にＳ１４３により、該当するチューナが搭載された機器に対して、放送ネットワーク切り替え（ＢＳ／ＣＳ／地上デジタル）ボタンおよびＵＰ／ＤＯＷＮボタンに該当するリモコンコードがリモコンコード送出部１１３から送信され、映像比較判定部１１４にて本デジタルテレビで受信中の映像と同一かどうかを判定する。
【００４０】
ここで、映像比較判定部１１４での判定処理は、本デジタルテレビで受信中の復号後の映像信号と、外部映像音声入力部１１０から入力される映像信号とから図４で示す６個の１６×１６画素のサンプリングブロックによって差分比較され、差分絶対値の合計が所定の値以下の場合は同一と判定される。
【００４１】
映像比較判定部１１４にて本デジタルテレビで受信中の映像と同一であると判断されるまで、またはすべての放送ネットワーク（ＢＳ／ＣＳ／地上デジタル）の全チャネルの選局が終了するまで、リモコンコード送出と映像比較判定を繰り返す。
【００４２】
このようにしてＳ１４３で本機器で受信中の映像と同一であると判断されるようなチューナの選局状態を検出できた場合は、Ｓ１４４にて該当するチューナの選局状態テーブル中の受信チャネル番号に本機器で受信中のチャネルが入力される。図３に示す例では選局状態テーブル２０２内の受信チャネルが本機器と同じ「ＢＳ ３ｃｈ」になっているチューナ＃１〜＃２がこの動作を表している。
【００４３】
そしてチューナ使用可否判定の最後の処理として次項記載の新規ボタン割り当て処理を行う。
【００４４】
２．新規ボタン割り当て処理
放送視聴中に、上記チューナ使用可否判定処理および下記視聴チャネル切り替え処理の中で図５に示す新規ボタン割り当て処理を行う。
【００４５】
まずＳ１２０にてチューナが割り当てられていないＵＰ／ＤＯＷＮボタンが存在する場合、Ｓ１２１にて選局状態テーブル中のチューナ使用状況が「使用可能」でかつ、受信チャネル番号が「不明」ではないものを検索する。ひとつでも見つかった場合はそのチューナが搭載された機器に対して、Ｓ１２２にて放送ネットワーク切り替え（ＢＳ／ＣＳ／地上デジタル）ボタンおよびＵＰ／ＤＯＷＮボタンに該当するリモコンコードがリモコンコード送出部１１３から送信され、ＵＰボタンであれば現在視聴中のチャネル１つ上、ＤＯＷＮボタンであれば現在視聴中のチャネル１つ下のチャンルが設定される。また同時にＳ１２３にて今回選局したチューナの選局状態テーブル中のチューナ使用状況に未割り当てだったＵＰ／ＤＯＷＮボタンを入力し、受信チャネル番号に今回設定したチャネル番号を設定する。
【００４６】
図６に示す例では選局状態テーブル２０３内のチューナ使用状況に「ＤＯＷＮボタン」「ＵＰボタンが」割り当てられているチューナ＃１〜＃２がこの動作を表している。
【００４７】
３．視聴チャネル切り替え処理
放送視聴中に、ＵＰ／ＤＯＷＮボタンが押下された場合、図７に示す視聴チャネル切り替え処理を行う。
【００４８】
まずＳ１０１にて今回押下されたボタンにチューナが割り当てられている場合は、Ｓ１０４にて外部入力を切り替えてチャネル切り替え後の映像のすぐに表示する。そしてＳ１０５にてチューナ使用状況を次のように変更する。押下ボタンに割り当てられていたチューナのチューナ使用状況は「視聴中」に、視聴中だったチューナのチューナ使用状況は押下されていないボタンに割り当て、押下されていないボタンに割り当てられていたチューナのチューナ使用状況は「使用可能」に変更する。
【００４９】
図８に示す例では選局状態テーブル２０４内のチューナ使用状況が変化しているチューナ＃１〜＃３がこの動作を表している。
【００５０】
またＳ１０１にて今回押下されたボタンにチューナが割り当てられていない場合は、Ｓ１０２にて本機器のチューナを用いて選局する。そしてＳ１０３にてチューナ使用状況を次のように変更する。本機器のチューナのチューナ使用状況を「視聴中」に、押下されていないボタンに割り当てられていたチューナのチューナ使用状況は「使用可能」に変更する。
【００５１】
そしてチューナ視聴チャネル切り替えの最後の処理として前項記載の新規ボタン割り当て処理を行う。
【００５２】
図８に示す例では選局状態テーブル２０５内のチューナ使用状況に「ＵＰボタン」が割り当てられているチューナ＃１がこの動作を表している。
【００５３】
以上のように、実施例１のデジタルテレビ装置では、外部機器のチャネル切り替え動作を判定することで、チャネル使用状況を把握し、本デジタルテレビと外部機器の映像を比較判定することで、外部機器の現在のチャネル番号を把握し、これらを選局状態として管理し、ＵＰ／ＤＯＷＮボタンに割り当て、ボタン押下時に、外部入力の表示切替を行うだけでチャネル切り替えを実現しているため、ユーザにとって使い勝手のよいデジタルテレビ装置を提供することができる。
【００５４】
なお、本実施例ではＵＰ／ＤＯＷＮボタンに対して別のチューナをひとつずつ割り当てているが、＋１ＵＰ、＋２ＵＰ、＋１ＤＯＷＮ、＋２ＤＯＷＮのチャネルに１チューナずつ割り当てれば、より高速なユーザ操作に耐えうるチャネル切り替えが実現できる。
【００５５】
なお、本実施例ではＵＰ／ＤＯＷＮボタンに対してチャネル切り替えの高速化を行っているが、その限りではなく、たとえば１〜１２のダイレクト選局ボタンで、視聴中のチャネルに割り当てるボタンの上下左右４つに対して別のチューナを割り当てることもできる。
【実施例２】
【００５６】
以下、本発明の請求項１、請求項２、請求項３を満たすデジタルテレビ装置の一実施例を示す。本実施例では、接続される外部機器はＩＥＥＥ１３９４のような符号化映像が転送されるケーブルで接続されているものとする。
【００５７】
図９は、実施例２におけるブロック図であり、ユーザからのリモコン操作を受け付けるリモコンコード受信部３００、放送受信や外部入力切替を他ブロックに指示する制御部３０１、放送信号を受信する放送信号受信部３０２、受信した放送信号をデマックスして映像と音声に分離するデマックス部３０３、復号処理を行う映像復号部３０４および音声復号部３０７、映像信号切り替え部３０５および音声信号切り替え部３０８、映像表示を行う映像表示部３０６、音声出力を行う音声出力部３０９、外部からの映像入力を行う外部映像音声入力部３１０、映像信号切り替え部３０５および音声信号切り替え部３０８に指示を出す外部入力切替部３１１、本機器も含め外部機器の選局状態等を管理する選局状態管理部３１２、外部機器に選局等の指示を送るリモコンコード送信部３１３、外部からの符号データと本機器の符号データとが同一チャネルかどうか判定するＮＩＴ比較判定部３１４、符号化データ中のＮＵＬＬパケットを検出することでチャネル切り替えを判定するチャネル切り替え動作判定部３１５、とで構成される。
【００５８】
ここでは、実施例１と動作が異なるチューナ使用可否判定処理の動作について図２〜図３を用いて説明する。
【００５９】
その他の処理、動作については実施例１と同じため説明は省略する。
【００６０】
１．チューナ使用可否判定処理
放送視聴中に、図２に示すチューナ使用可否判定処理を行う。この処理は放送視聴中であればユーザのＵＰ／ＤＯＷＮボタン押下に関係なく定期的に行われる。
【００６１】
まずＳ１４０にて選局状態テーブル中の受信チャネル番号が”不明”であるチューナが存在するかを調べる。図３に示す例では選局状態テーブル２００の状態を初期状態とすると、選局状態テーブル２００内の受信チャネル番号の項目によりチューナ＃１〜＃４が該当する。
【００６２】
次にＳ１４１により、該当するチューナが搭載された機器に対して、ＵＰ／ＤＯＷＮボタンに該当するリモコンキーがリモコンコード送出部３１３から送信され、チャネル切り替え動作判定部３１５にてチャネル切り替え動作の発生有無を判定する。
【００６３】
ここで、チャネル切り替え動作判定部３１５での判定処理は、外部映像音声入力部３１０から入力される符号化データに対し、符号化データが存在し、かつＮＵＬＬパケットが一定期間以上挿入されていることを検知することで、チャネル切り替えが行われたかどうかを判定する。
【００６４】
このようにしてＳ１４１により、チャネル切り替えが行われていると判断できたチューナにはＳ１４２にて選局状態テーブル中のチャネル使用状況に「使用可能」が入力される。図３に示す例では選局状態テーブル２０１内のチューナ使用状況が「使用可能」になっているチューナ＃１〜＃３がこの動作を表している。
【００６５】
次にＳ１４３により、該当するチューナが搭載された機器に対して、放送ネットワーク切り替え（ＢＳ／ＣＳ／地上デジタル）ボタンおよびＵＰ／ＤＯＷＮボタンに該当するリモコンコードがリモコンコード送出部３１３から送信され、ＮＩＴ比較判定部３１４にて本デジタルテレビで受信中のチャネルと同一かどうかを判定する。
【００６６】
ここで、ＮＩＴ比較判定部３１４での判定処理は、本デジタルテレビで受信中の符号化データ中に存在するＮＩＴと、外部映像音声入力部３１０から入力される符号化データ中に存在するＮＩＴとを比較し、同一であれば同一チャネルと判定される。
【００６７】
映像比較判定部３１４にて本デジタルテレビで受信中の符号化データが同チャネルであると判断されるまで、またはすべての放送ネットワーク（ＢＳ／ＣＳ／地上デジタル）の全チャネルの選局が終了するまで、リモコンコード送出と映像比較判定を繰り返す。
【００６８】
このようにしてＳ１４３で本機器で受信中の符号化データと同チャネルであると判断されるようなチューナの選局状態を検出できた場合は、Ｓ１４４にて該当するチューナの選局状態テーブル中の受信チャネル番号に本機器で受信中のチャネルが入力される。図３に示す例では選局状態テーブル２０２内の受信チャネルが本機器と同じ「ＢＳ ３ｃｈ」になっているチューナ＃１〜＃２がこの動作を表している。
【００６９】
そしてチューナ使用可否判定の最後の処理として次項記載の新規ボタン割り当て処理を行う。
【００７０】
以上のように、実施例２のデジタルテレビ装置では、外部機器のチャネル切り替え動作を判定することで、チャネル使用状況を把握し、本デジタルテレビと外部機器の符号データのＮＩＴを比較判定することで、外部機器の現在のチャネル番号を把握し、これらを選局状態として管理し、ＵＰ／ＤＯＷＮボタンに割り当て、ボタン押下時に、外部入力の表示切替を行うだけでチャネル切り替えを実現しているため、ユーザにとって使い勝手のよいデジタルテレビ装置を提供することができる。
【００７１】
なお、本実施例ではＵＰ／ＤＯＷＮボタンに対して別のチューナをひとつずつ割り当てているが、＋１ＵＰ、＋２ＵＰ、＋１ＤＯＷＮ、＋２ＤＯＷＮのチャネルに１チューナずつ割り当てれば、より高速なユーザ操作に耐えうるチャネル切り替えが実現できる。
【００７２】
なお、本実施例ではＵＰ／ＤＯＷＮボタンに対してチャネル切り替えの高速化を行っているが、その限りではなく、たとえば１〜１２のダイレクト選局ボタンで、視聴中のチャネルに割り当てるボタンの上下左右４つに対して別のチューナを割り当てることもできる。
【図面の簡単な説明】
【００７３】
【図１】実施例１：ブロック図
【図２】実施例1：チューナ使用可否判定処理の制御フロー
【図３】実施例1：チューナ使用可否判定処理の動作説明図
【図４】実施例１：映像比較判定部の動作説明図
【図５】実施例１：新規ボタン割り当て処理の制御フロー
【図６】実施例１：新規ボタン割り当て処理の動作説明図
【図７】実施例1：視聴チャネル切り替え処理の制御フロー
【図８】実施例１：視聴チャネル切り替え処理の動作説明図
【図９】実施例２：ブロック図
【図１０】従来例：ブロック図
【図１１】ブロック図
【符号の説明】
【００７４】
100, 300, 500, 700  リモコンコード受信部
101, 301, 501, 701  制御部
102, 302, 502, 702  放送信号受信部
103, 303, 503, 703  デマックス部
104, 304, 504, 704  映像復号部
105, 305, 505, 705  映像信号切り替え部
106, 306, 506, 706  映像表示部
107, 307, 507, 707  音声復号部
108, 308, 508, 708  音声信号切り替え部
109, 309, 509, 709  音声出力部
110, 310, 510, 710  外部映像音声入力部
111, 311, 511, 711  外部入力切替部
112, 312, 712  選局状態管理部
113, 313, 713  リモコンコード送信部
114  映像比較判定部
314  ＮＩＴ比較判定部
115, 315  チャネル切替動作判定部
714  同期信号検出部
【図１】
2009100100.tif 000003
【図２】
2009100100.tif 000004
【図３】
2009100100.tif 000005
【図４】
2009100100.tif 000006
【図５】
2009100100.tif 000007
【図６】
2009100100.tif 000008
【図７】
2009100100.tif 000009
【図８】
2009100100.tif 000010
【図９】
2009100100.tif 000011
【図１０】
2009100100.tif 000012
【図１１】
2009100100.tif 000013